(57)【要約】【課題】ＰＤＰの発光効率を向上させるとともに、アドレス時の書き込み不良を防止して表示画面の安定化を図る。【解決手段】表示電極の間隙が１００μｍを超える放電セルを構成し、駆動波形の維持期間において、表示電極における維持パルスの立ち上がり時に、維持パルスを印加しない方の表示電極とアドレス電極に共に電位パルスを印加することにより、放電の定常状態を一部形成する。これらは、Ｘｅ分圧を１０％以上にした場合、あるいは従来のＰＤＰにおいて維持放電等に十分な電荷が維持されない蛍光体材料を用いた場合にも有効に機能する。また、第四の電極による初期プラズマ粒子を発生させれば、書き込み放電を安定化させることができ、ちらつきがなく発光効率の高いＰＤＰを提供できる。【選択図】図１
2005300955.tif 000002
【特許請求の範囲】
【請求項１】
横方向に延び縦方向に並設し放電間隙を構成した走査電極と維持電極とからなる表示電極対と、前記表示電極対を被覆する誘電体層と、前記誘電体層を覆う保護層とを備えた絶縁性の前面パネルと、縦方向に延び横方向に並設したアドレス電極と、前記アドレス電極を被膜する下地誘電体層と、前記下地誘電体層上に形成された縦方向に延び横方向に並設した縦方向隔壁と、横方向に延び縦方向に並設した横方向隔壁と、を備えた絶縁性の背面パネルが，前記表示電極対と前記アドレス電極が前記縦方向隔壁及び横方向隔壁を介して相対して対向配置され，前記表示電極対と前記アドレス電極との交差位置に、ネオン（Ｎｅ）及びキセノン（Ｘｅ）を主成分とする放電ガスが充填され内部に蛍光体層を備えた複数の放電セルを有してなるプラズマディスプレイ表示パネルであって、
前記放電セルにおいて維持放電させる際に、表示電極の電位の印加時に第一電位を印加し、その後前記第一電位よりも小さな電位を印加すると共に、前記第一電位の印加時にアドレス電極側でも電位を印加することにより、維持放電を行うことを特徴とするプラズマ表示パネル。
【請求項２】
前記横方向隔壁を，並設された第一の横方向隔壁と第二の横方向隔壁とで構成し、前記第一の横方向隔壁と第二の横方向隔壁の間で、少なくとも前記下地誘電体層に覆われた第四の電極を有し、前記第四の電極と他の電極間で放電を発生させる、
請求項１に記載のプラズマ表示パネル。
【請求項３】
前記放電ガス中のＸｅ分圧が１０％以上であることを特徴とする請求項１に記載のプラズマ表示パネル。
【請求項４】
少なくとも走査電極駆動部と維持電極駆動部とアドレス電極駆動部と補助電極駆動部と請求項１に記載のプラズマ表示パネルとを具備したことを特徴とするプラズマ表示装置。
【発明の詳細な説明】
【技術分野】
【０００１】
本発明は、プラズマ表示パネル及びそれを用いたプラズマ表示装置、特にＡＣ型プラズマ表示パネル及びそれを用いたプラズマ表示装置に関する。
【背景技術】
【０００２】
大画面、薄型、軽量の表示装置として、プラズマ表示パネル（ＰＤＰ）を用いた表示装置が、デジタルテレビや情報表示装置などに実用化されている。このＰＤＰには、蛍光体を設けたマトリクス状の複数の微小放電空間を配設した２枚のガラス基板間に放電ガスを封入する。その微小放電空間のガス放電によって発生する紫外線により蛍光体を励起し、それにより発生する可視光を情報の表示に利用するものである。ＰＤＰには種々の種類があるが、ガス放電を交流電圧によって発生させるか直流電圧によるかによって分けるＡＣ型とＤＣ型の分類が良く知られている。
【０００３】
このＡＣ型ＰＤＰは、現在ではＤＣ型に比べて、コスト、発光効率及び寿命等の点で優れており、近年のＰＤＰの主流となってきている。例えば、その一例として、ＡＣ型ＰＤＰの放電セルの主要斜視図を図７に示す。
【０００４】
以下、図７を用いてＰＤＰの構造について説明する。前面パネル８００には透明なガラスからなる前面基板８０２上に、約１００μｍの放電間隙８０４を形成し、一対の透明なインジウムスズ酸化物（ＩＴＯ）の走査電極８０６及び維持電極８１０と、走査電極８０６及び維持電極８１０とにそれぞれ配設された、バス電極８０８及び８１２からなる表示電極８１４の複数対が並設される。なお、バス電極８０８及び８１２はＩＴＯの面抵抗が高いため銀（Ａｇ）などの金属膜からなり、表示電極８１４の見かけの抵抗を低下させる役割を果たしている。これらの電極上に低融点ガラスからなる誘電体層８１６及び酸化マグネシウム（ＭｇＯ）からなる保護層８１８が形成されている。
【０００５】
背面パネル８２０では、ガラスからなる背面基板８２２上にデータを書き込むアドレス電極８２４、下地誘電体層８２６、縦方向に延びる隔壁８２８、蛍光体層８３０が形成されている。上記表示電極８１４と、前記隔壁８２８間のアドレス電極８２４とは直交するように互いに対向させて、前面パネル８００と背面パネル８２０とをガラス接着し密閉している。このように構成した前面パネル８００と背面パネル８２０間の空間において、２つの隔壁で囲まれた空間に放電セル８３２が形成される。放電セル８３２内には、ネオン（Ｎｅ）とキセノン（Ｘｅ）の混合ガスが放電ガスとして充填されている。
【０００６】
このように構成したＰＤＰでは、多数の放電セルからなる表示画面の指定された放電セルにデータを書き込むため、対応する放電セルのアドレス電極と表示電極とに電圧を印加して放電（書き込み放電）を生じさせ、さらに表示電極の放電間隙での放電（維持放電）を生じさせて信号を表示させる。上記縦方向の隔壁８２８は、横方向の隣接する放電セル間を仕切り、横方向の放電セル間のクロストークを防止する等の役目を果たしている。
【０００７】
しかし、上記構造では前面基板の表示電極と背面基板のアドレス電極とが交差する位置に、縦方向の隔壁のみで囲まれた領域に放電セルが構成されるため、表示画面上で縦方向に隣接する表示電極間でクロストークが発生したりする。これを防止するため、縦方向と横方向に延びる隔壁をそれぞれ配設し、それらの隔壁によってマトリクス状に区画して各々独立した放電セルを構成し、表示画像を鮮明にする試みを施したものもある。
【０００８】
また、表示画像の安定化を図るためには、書き込み放電を必要な時に確実に発生させる必要があるため、例えば、横方向に延びる２列の隔壁を形成し、この２列の横隔壁の間に、発光のための維持放電を行う第一の放電セルとは別に、隣接する表示電極対の背中合わせに位置する表示電極間で初期プラズマ粒子を発生させる放電（プライミング放電）を行う第二の放電セルを形成すること、第二の放電セルにおける前面基板上の誘電体に溝を設けることにより、プライミング放電の省電力化を図ることが提案されている（例えば、特許文献１参照）。
【０００９】
その他に、発光効率を向上させるために次のような提案がなされている。従来のＰＤＰでは、放電が発生させることができる輝度まで十分に紫外線を発生させていなかったため、表示電極の間隙を広くして、放電が発生させることができる輝度まで十分に紫外線を発生させられるようにする検討が行われている（例えば、非特許文献１参照）。
【００１０】
また、維持放電時にアドレス電極にパルス状の電位を印加することにより、発光効率を向上させようという検討もなされている（例えば、非特許文献１、特許文献２、特許文献３参照）。
【特許文献１】特開２００３−２３４０７０号公報
【特許文献２】特表２００１−５０４２４３号公報
【特許文献３】特公平６−６８９５３号公報
【非特許文献１】Ｈｙｕｎ  Ｋｉｍ、Ｈｅｕｎｇ−Ｓｉｋ  Ｔａｅ、ａｎｄ  Ｓｕｎｇ−ＩＩ  Ｃｈｉｅｎ、“Ｌｏｎｇ  Ｇａｐ  Ｄｉｓｃｈａｒｇｅ  Ｃｈａｒａｃｔｅｒｉｓｔｉｃｓ  Ｂａｓｅｄ  ｏｎ  Ｃｏｎｔｒｏｌ  ｏｆ  Ｖｏｌｔａｇｅ  Ｄｉｓｔｒｉｂｕｔｉｏｎ  ａｍｏｎｇ  Ｔｈｒｅｅ  Ｅｌｅｃｔｒｏｄｅｓ  ｆｏｒ  Ｐｏｓｉｔｉｖｅ  Ｃｏｌｕｍｎ  ＡＣ−ＰＤＰｓ”、Ｐｒｏｃｅｅｄｉｎｇｓ  ｏｆ  Ｃｏｎｆｅｒｅｎｃｅ  ｏｆ  Ｓｏｃｉｅｔｙ  ｆｏｒ  Ｉｎｆｏｒｍａｔｉｏｎ  Ｄｉｓｐｌａｙ
【発明の開示】
【発明が解決しようとする課題】
【００１１】
しかしながら、特許文献１では、書き込み放電を安定化させるための構成を提案しているが、発光効率を向上させるものではなかった。
【００１２】
また、特許文献２及び特許文献３における、維持放電時にアドレス電極にパルスを発生させるのみの方法では、放電が発生させることができる輝度まで紫外線を発生させるには不十分であるという課題があった。
【００１３】
また、非特許文献１に示されている、表示電極の間隙を長く構成し、維持放電時にアドレス電極にパルスを発生させる方法でも、放電が発生させることができる輝度まで紫外線を発生させるには不十分であるという課題があった。
【００１４】
本発明は、上記課題を解決するためになされたもので、放電が発生させることができる輝度まで紫外線を十分に発生させ、発光効率を向上させるとともに、さらに放電の安定化をも実現できるＰＤＰとそれを用いたプラズマ表示装置を提供することを目的とする。
【課題を解決するための手段】
【００１５】
上述した課題を解決するために、本発明のＰＤＰは、絶縁性の前面基板の背面上に、少なくとも横方向に延び縦方向に並設し所定値以上の放電間隙を構成した走査電極と維持電極とからなる表示電極と、前記表示電極を被覆する誘電体層と、前記誘電体層を覆う保護層とを順次形成した前面パネルと、絶縁性の背面基板の前面上に、縦方向に延び横方向に並設したアドレス電極と、前記アドレス電極を被膜する下地誘電体層とを順次形成し、前記下地誘電体層上に縦方向に延び横方向に並設した縦方向隔壁と、横方向に延び縦方向に並設した横方向隔壁とを形成し、放電空間を介して対向する前記走査電極及び維持電極対と前記アドレス電極との交差位置に、前記縦方向隔壁、前記横方向隔壁、及び前記前面パネルにより形成し、Ｎｅ及びＸｅを主成分とする放電ガスを充填した放電セルと、前記放電セル内に形成した蛍光体層とを少なくとも有する背面パネルとを具備し、前記放電セル内において前記表示電極間で維持放電させる際に、表示電極の電位の印加時に第一電位を印加し、その後前記第一電位よりも小さな電位を印加すると共に、前記第一電位の印加時にアドレス電極側でも電位を印加することにより、情報を表示する構成をとる。
【００１６】
上記構成とすることにより、所定値以上長い表示電極間の間隙で、放電が発生させることができる紫外線のほぼ最大量を発生し、かつその放電発生を維持放電時のアドレス電極のパルス電位と表示電極における対向電極のパルス電位の印加により誘導し、放電開始電圧を低く保つことができる。
【００１７】
また、横方向隔壁を二重にし、その隔壁の間に下地誘電体層で覆われた第四の電極を構成し、データの書き込み放電時にその第四の電極と他の電極間で放電させ、初期プラズマ粒子を生成することにより、前記発光効率の向上を実現すると同時に、安定してデータの書き込みを行うことができる。
【００１８】
さらに、この放電セルでは、放電ガスの構成においてＸｅ分圧が１０％以上と高くなっている場合においても、前記維持放電時のアドレス電極のパルス電位と表示電極における対向電極のパルス電位の印加によるプラズマ放電の誘導により、放電開始電圧を従来のＰＤＰのものと同様に維持することができ、その結果、発光効率を大きく向上させることができる。これらは、従来のＰＤＰにおいて維持放電等に十分な電荷が維持されない蛍光体材料を用いた場合にも有効に機能する。
【００１９】
また、上述したような課題を解決するために、本発明のプラズマ表示装置は少なくとも、走査電極駆動部、維持電極駆動部、アドレス電極駆動部、補助電極駆動部及び本発明のＰＤＰを具備する構成となる。
【００２０】
さらに、前述したプラズマ表示装置にはさらに選局部と映像信号制御部とを具備したテレビジョン受像機も含まれる。
【００２１】
このような構成によれば、表示電極間での放電をアドレス電極と対向する表示電極でのパルス電位の印加により強く誘導し、低い放電開始電圧により発生した大量の紫外線量により蛍光体が激しく励起され、それによる輝度の大幅な向上で、発光効率が著しく向上したプラズマ表示装置を実現できる。
【００２２】
なお、ここで言う前面側とは、図２あるいは図３においてパネル面の垂直方向で背面パネルから見て前面パネル方向を言い、両図の上側を意味する。したがって、基板の前面上とは、パネルの前面側の面上という意味である。同様に、背面側とは両図においてパネル面の垂直方向で、前面パネルから見て背面パネル側を言い、両図の下側を意味する。したがって、基板の背面上とは、パネルの背面側の面上という意味である。
【００２３】
また、本発明にさらに追加の隔壁あるいは隔壁を補強する補助誘電体部があっても、本発明の効果を得ることには変わりがない。
【００２４】
また、蛍光体層は少なくとも表示セルに存在すればよく、二重の横リブの間に存在しても、あるいは隔壁上に存在しても本発明の効果を得ることには変わりがない。
【００２５】
本発明では、発光効率の向上を目的としているが、これは省電力、省エネルギーを目指したものでもあり、環境への負荷を低減することを目的としているものである。
【発明の効果】
【００２６】
本発明のＰＤＰによれば、表示電極間での強大な放電をアドレス電極と対向する表示電極でのパルス電位の印加により低い放電開始電圧で誘導し、それにより発生した大量の紫外線により蛍光体を激しく励起し、それによる輝度の大幅な向上で、発光効率を著しく向上させたプラズマ表示装置を実現できる。
【００２７】
好ましくは、横方向隔壁を二重にし、その隔壁の間に下地誘電体層で覆われた第四の電極を構成し、データの書き込み放電時にその第四の電極と他の電極間で放電させ、初期プラズマ粒子を生成することにより、前記発光効率の向上を実現すると同時に、安定してデータの書き込みを行うことができる。
【００２８】
さらに好ましくは、前記構成によれば、放電ガスの構成においてＸｅ分圧が１０％以上と高くなっている場合においても、前記維持放電時のアドレス電極のパルス電位と表示電極における対向電極のパルス電位の印加によるプラズマ放電の誘導により、放電開始電圧を従来のＰＤＰのものと同様に維持することができ、その結果、発光効率を大きく向上させることができる。
【００２９】
また、前記ＰＤＰと、走査電極駆動部と、維持電極駆動部と、アドレス電極駆動部と、補助電極駆動部とを少なくとも具備することにより、発光効率が高く、ちらつきの少ない画像をもち、信頼性が高く、消費電力の小さなプラズマ表示装置を供給することができる。
【発明を実施するための最良の形態】
【００３０】
以下、本発明の実施の形態について、図面を参照しながら説明する。
【００３１】
（実施の形態１）
図１は本発明のＰＤＰに入力する駆動波形の一例であり、例えば図２に示した構成の放電セルを有するＰＤＰに用いる。
【００３２】
図１のＶＡ、ＶＢ、及びＶＣは、それぞれ表示電極のひとつを構成する走査電極に印加される電位の波形、同じく維持電極に印加される電位の波形、及びアドレス電極に印加される電位の波形である。縦軸は電位、横軸は時間の経過を表している。
【００３３】
図１（ａ）に示すように、走査電極の電位が上昇し弱い放電を発生させながら、放電セルの初期化が開始される。次に、図１（ｂ）のように、走査電極の電位が下降し、途中から維持電極の電位が上昇する。その後、図１（ｃ）のように、走査電極の電位が低下し、アドレス期間に入る。発光させるセルにおいては、そのデータの書き込みのためにアドレス電極の電位を同時に上昇させ、放電を発生させる。図１（ｄ）で示す次の維持期間では、走査電極と維持電極に交互に電位が印加されるが、この時の電位波形において、立ち上がり時に通常の維持期間に印加する電位より高い第一の電位まで電位を上昇させ、その後、通常の維持期間の印加電位である第二の電位にする。
【００３４】
本実施の形態１では、第一の印加電位ＶＡＢ１及び第二の印加電位ＶＡＢ２として、それぞれ２００Ｖ及び１８０Ｖを用いた。また、前記表示電極における電位波形の立ち上がり時にアドレス電極でも電位ＶＣ１を印加する。本実施の形態１では３００Ｖまで印加した。これにより、電極間が２００μｍを超える場合、通常、放電開始に４００Ｖ以上を要するが、アドレス電極と、維持パルスを印加する表示電極と対を成しているもうひとつの表示電極にそれぞれ高い電位パルスを印加することにより、放電を誘導する電場を形成し、従来と同様の１８０Ｖで放電が発生する。この放電は、電極間の間隙が長いため、プラズマの平均自由移動距離も長くなり、電極間でプラズマの発生と消滅がつりあう定常状態となる。このプラズマの定常状態においては、短時間で発生する紫外線量が安定的に最大となる。この過程を図４を用いて説明すると次のようになる。
【００３５】
図４（ａ）は表示電極２０のひとつとアドレス電極２８に、維持パルスの立ち上がり時に電位パルスを印加した場合、図４（ｂ）は前記電位パルスを印加しない場合である。図４（ａ）では、（１）まず、維持パルスの立ち上がり時に、維持パルスが印加されないもうひとつの表示電極とアドレス電極に電位パルスが印加され、放電ガス中の電子が強く誘引され、放電が低い放電開始電圧で容易に発生する。（２）次に、その初期放電により、長い電極間距離において比較的容易に後続の放電が維持されるが、放電が発生する距離が長いために、電極間では生成するプラズマ粒子と消滅するプラズマ粒子がつりあい、定常状態に達するようになる。この定常状態では、放電が安定的に放出する紫外線量を最大にすることができる。一方、図４（ｂ）では、電極間距離が長いために、この初期放電を発生させるための高い放電開始電圧が必要となり、これは発光効率の低下をもたらすことになる。
【００３６】
また、図５には、前記維持パルスの立ち上がり時に、表示電極側とアドレス電極側の両方で電位パルスを加えた場合（ａ）、アドレス電極側のみに電位パルスを加えた場合（ｂ）、及び表示電極側のみに電位パルスを加えた場合（ｃ）について、それぞれの放電開始電圧の変化を示した。縦軸は放電開始電圧Ｖｆ、横軸はアドレス電極側の電位パルスの電位である。この特性図より、表示電極側とアドレス電極側との両方に維持パルスの立ち上がりと同時に電位パルスを印加することが有効であることがわかる。
【００３７】
以上、表示電極側とアドレス電極側との両方に維持パルスの立ち上がりと同時に電位パルスを印加することにより、表示電極間での強大な放電を低い放電開始電圧で誘導し、それにより発生した大量の紫外線により蛍光体を激しく励起し、それによる輝度の大幅な向上で、発光効率を著しく向上させたＰＤＰを提供することができるようになる。
【００３８】
次に、図２を用いて本発明のパネル構造について説明する。
【００３９】
最初に、前面パネル２に関して説明する。高歪点ガラスあるいはソーダライムガラスからなる前面基板４上に、フォトリソ技術などを用いて、放電用の所定の放電間隙６を介して対向する複数対の透明なＩＴＯの走査電極８及び維持電極１０を横方向に延びるストライプ状に形成する。その走査電極８と隣接する維持電極１０間、及び前記走査電極８及び隣接する維持電極１０の放電間隙６とは反対側の端部分上を覆うようにブラックストライプ１４を形成する。
【００４０】
さらに、それらの端部分を覆うように形成されたブラックストライプ１４の背面側、あるいは並べてＡｇペーストをスクリーン印刷して焼成することによって、走査電極８及び維持電極１０上に横方向に延びるストライプ状のＡｇのバス電極１２を形成して表示電極２０を構成する。このようにして、抵抗値が高いＩＴＯ膜上にＡｇなどの金属膜を形成して見かけ上、表示電極２０の抵抗を低減させ、所定の放電間隙６を介して対向させて構成した複数対の表示電極２０を縦方向に並設する。なお、この透明電極の材料として、ＩＴＯの他に、酸化スズ（ＳｎＯ）あるいは酸化亜鉛（ＺｎＯ）を使用することもできる。
【００４１】
次に、Ｐｂ−Ｂ系の低融点ガラスペーストをマスクスクリーン印刷して焼成し、透明な誘電体層２２を形成する。さらに、電子ビーム蒸着法によって、ＭｇＯを主成分とする保護層２４を形成して前面パネル２を作製する。なお、バス電極１２の構成材料として、Ａｇ膜、アルミニウム（Ａｌ）膜、クロム（Ｃｒ）／銅（Ｃｕ）／Ｃｒの積層膜も有効である。
【００４２】
背面パネル５２に関して説明する。高歪点ガラスあるいはソーダライムガラスからなる背面基板２６上に、Ａｇペーストをスクリーン印刷してデータを書き込む複数のアドレス電極２８を縦方向に延び横方向に並設するように形成する。さらに、アドレス電極２８を形成した背面基板２６上に、スクリーン印刷法によってＰｂ−Ｂ系の低融点ガラスペーストを、ダイ塗布方式あるいはマスクスクリーン印刷法によって下地誘電体層３０を形成し焼成する。
【００４３】
次に、下地誘電体層３０上に、Ａｌ２Ｏ３などの金属粉末を含有させたＰｂ−Ｂ系ガラスのペーストを繰り返してスクリーン印刷して焼成し、縦方向に延び横方向に所定の間隔で並設された縦方向隔壁、横方向に延び縦方向に並設された横方向隔壁３２を配設する。このように構成することによって、２つの縦方向隔壁と隣り合う横方向隔壁３２とで囲まれた凹部３４が形成される。
【００４４】
次に、前記凹部３４に順にそれぞれ赤（Ｒ）、緑（Ｇ）、青（Ｂ）の蛍光体を含むペーストを塗布し、乾燥、焼成することによって蛍光体層５０を形成し、背面パネル５２を構成する。
【００４５】
この時、赤の蛍光体材料としては主に（Ｙ，Ｇｄ）ＢＯ３：Ｅｕが、緑の蛍光体材料としては主に（Ｙ，Ｇｄ）ＢＯ３：ＴｂとＺｎＳｉＯ４：Ｍｎとの混合物が、青の蛍光体の材料としてはＢａＭｇＡｌ１０Ｏ１７：Ｅｕにチタン（Ｔｉ）、バナジウム（Ｖ）、クロム（Ｃｒ）、ジルコニウム（Ｚｒ）、ニオブ（Ｎｂ）、モリブデン（Ｍｏ）、ハフニウム（Ｈｆ）、タンタル（Ｔａ）、タングステン（Ｗ）、ストロンチウム（Ｓｒ）等の金属原子を混合したものが用いられる。
【００４６】
このように構成した前記前面パネル２及び背面パネル５２を、表示電極２０とアドレス電極２８とが直交するように対向させ、封着用ガラスを用いて張り合わせる。これにより、上記凹部３４が表示用の放電セルとして形成される。なお、隔壁の焼成の処理によって、各放電セルを構成する縦方向隔壁と横方向隔壁の交差部に対して各隔壁の中央部が約１０μｍ程度低くなり、各隔壁間はわずかな隙間をもって連通している。各放電セル内は高真空に排気された後、ネオン（Ｎｅ）と１０％以上の分圧にしたキセノン（Ｘｅ）とを主成分とする混合ガスを放電ガスとして所定の圧力で充填し、ＰＤＰを作成する。
【００４７】
また、図３に示したセルの構成では、前記セル構成のうち、背面パネル５２以外は同様であるので、背面パネル５２に関して説明する。
【００４８】
高歪点ガラスあるいはソーダライムガラスからなる背面基板２６上に、Ａｇペーストをスクリーン印刷してデータを書き込む複数のアドレス電極２８を縦方向に延び横方向に並設するように形成する。さらに、アドレス電極２８を形成した背面基板２６上に、スクリーン印刷法によってＰｂ−Ｂ系の低融点ガラスペーストを、ダイ塗布方式あるいはマスクスクリーン印刷法によって形成し、第一の下地誘電体層４０を形成する。
【００４９】
次に、Ａｇペーストをスクリーン印刷して補助電極４２を第一の下地誘電体層４０上に横方向に延び縦方向に並設するように形成する。さらに、第二の下地誘電体層４４を塗布し焼成する。補助電極４２を覆っている第二の下地誘電体層４４は、放電空間との絶縁のために形成される。第二の誘電体層４４は補助電極４２とその他の電極との放電によって少しずつ破壊されるため、スパッタ耐性を有する厚さが必要となり、通常５μｍ以上としている。
【００５０】
次に、第二の下地誘電体層４４上に、Ａｌ２Ｏ３などの金属粉末を含有させたＰｂ−Ｂ系ガラスのペーストを繰り返しスクリーン印刷して焼成し、縦方向に延び横方向に所定の間隔で並設された縦方向隔壁、横方向に延びた縦方向に並設された２列の横方向隔壁、すなわち第一の横方向隔壁４８及び第二の横方向隔壁５４を形成し、第一の横方向隔壁４８及び第二の横方向隔壁５４を各々の補助電極４２の両端部に近接して位置するように配設する。このように構成することによって、２つの縦方向隔壁と第一の横方向隔壁４８と第二の横方向隔壁５４とで囲まれた表示用の第一の凹部５６、及び２つの縦方向隔壁と第一の横方向隔壁４８と第二の横方向隔壁５４とで囲まれた非表示用の第二の凹部５８が形成される。
【００５１】
次に、横方向に配設されて隣接する複数の表示用の第一の凹部５６に赤（Ｒ）、緑（Ｇ）、青（Ｂ）の蛍光体を含むペーストをそれぞれ塗布し、乾燥、焼成することによって蛍光体層５０を形成し、背面パネル５２を構成する。この時の蛍光体の材料は上記と同様である。
【００５２】
図６は上記ＰＤＰを組み込んだテレビジョン受像機９２のブロック構成図の一例である。アンテナ７４により放送信号を受信し、選局部７６により選択された映像信号が、映像情報信号処理部７８によって映像信号と同期信号が分離され、同期信号から発生されるタイミングパルスや、映像信号がＡ／Ｄ変換処理された情報信号として制御部８０に入力される。その制御部８０は、それらの信号を制御・増幅して、走査電極を駆動する走査電極駆動部８６、維持電極を駆動する維持電極駆動部８４、及びアドレス電極を駆動するアドレス電極駆動部８２、補助電極を駆動する補助電極駆動部８８に出力され、上記ＰＤＰ９０により映像信号が表示される。なお、図６ではテレビジョン受像機に関して示したが、例えば空港や駅での出発便あるいは到着便等の表示、パーソナルコンピュータや等電子機器の表示装置などの表示装置にも適用できる。
【産業上の利用可能性】
【００５３】
本発明に係るＰＤＰは、発光効率が高く、アドレス不良やクロストークなどを減少せしめて良質な画面が得られるので、各種装置の表示装置として有用である。
【図面の簡単な説明】
【００５４】
【図１】本発明の実施の形態１に関する駆動波形の概念図
【図２】本発明の実施の形態１におけるセルの断面図
【図３】本発明の実施の形態１における他のセルの断面図
【図４】本発明の駆動波形による放電メカニズムの概念図
【図５】本発明の実施の形態１における電位パルスの印加と放電開始電圧の一例を示す特性図
【図６】本発明の実施の形態１におけるプラズマ表示装置のブロック構成図
【図７】従来のＰＤＰの構成を示す主要部斜視図
【符号の説明】
【００５５】
２，８００    前面パネル
４，８０２    前面基板
６，８０４    放電間隙
８，８０６    走査電極
１０，８１０    維持電極
１２，８０８，８１２    バス電極
１４    ブラックストライプ
２０，８１４    表示電極
２２，８１６    誘電体層
２４，８１８    保護層
２６，８２２    背面基板
２８，８２４    アドレス電極
３０，８２６    下地誘電体層
３２，８２８    隔壁
３４    凹部
４０    第一の下地誘電体層
４２    補助電極
４４    第二の下地誘電体層
４８    第一の横方向隔壁
５０，８３０    蛍光体層
５２，８２０    背面パネル
５４    第二の横方向隔壁
５６    表示用の第一の凹部
５８    非表示用の第二の凹部
７４    アンテナ
７６    選局部
７８    映像情報信号処理部
８０    制御部
８２    アドレス電極駆動部
８４    維持電極駆動部
８６    走査電極駆動部
８８    補助電極駆動部
９０    ＰＤＰ
９２    テレビジョン受像機
８３２    放電セル
【図１】
2005300955.tif 000003
【図２】
2005300955.tif 000004
【図３】
2005300955.tif 000005
【図４】
2005300955.tif 000006
【図５】
2005300955.tif 000007
【図６】
2005300955.tif 000008
【図７】
2005300955.tif 000009